(57)【要約】【課題】  リモートコントロール特性を具えたオペレーションシステムのアプリケーションプログラム共有の構造と方法の提供。【解決手段】  リモート発送ユニットがデータ実行信号とマルチメディア再生信号を受信ユニットに発送し、信号デコード装置がそれをデコードし、対応するキーボードスキャンコードを第２オペレーションシステムに伝送し、インタフェースユニットを通して該第２オペレーションシステムに第１オペレーションシステムの少なくとも一つのデータパラメータとマルチメディア再生システムを共有させ、システムソース消耗が大きい第１オペレーションシステム起動時間を短縮し、リアルタイムと動態モバイルサービス特性を提供し、資源の共有を向上しアプリケーションプログラムの重複するインストールを防止する。【選択図】        図１
2005229579.tif 000002
【特許請求の範囲】
【請求項１】
リモートコントロール特性を具えたオペレーションシステムのアプリケーションプログラム共有の構造において、
少なくとも一つのデータパラメータを記録した少なくとも一つのファイルシステムを包含する第１オペレーションシステムと、
リモート信号を発送するリモート発送ユニットと、
該リモート信号に対応するキーボードスキャンコードを伝送する受信ユニットと、
該キーボードスキャンコードを受け取った後、それに対応するアプリケーションプログラムを実行する第２オペレーションシステムと、
を具えた、該アプリケーションプログラムを第２オペレーションシステム環境下で実行し、インタフェースユニットを通して第１オペレーションシステム下の該ファイルシステム中のデータパラメータにアクセスすることを特徴とする、リモートコントロール特性を具えたオペレーションシステムのアプリケーションプログラム共有の構造。
【請求項２】
請求項１記載のリモートコントロール特性を具えたオペレーションシステムのアプリケーションプログラム共有の構造において、リモート発送ユニットがＰＤＡ、携帯電話、及びリモートコントローラーのいずれかとされたことを特徴とする、リモートコントロール特性を具えたオペレーションシステムのアプリケーションプログラム共有の構造。
【請求項３】
請求項１記載のリモートコントロール特性を具えたオペレーションシステムのアプリケーションプログラム共有の構造において、基本入出力システムを更に具え、該基本入出力システムはコンピュータ起動設定の管理と制御を行うことを特徴とする、リモートコントロール特性を具えたオペレーションシステムのアプリケーションプログラム共有の構造。
【請求項４】
請求項１記載のリモートコントロール特性を具えたオペレーションシステムのアプリケーションプログラム共有の構造において、インタフェースユニットがデータパラメータを第２オペレーションシステムが実行可能なデータフォーマットに変換することを特徴とする、リモートコントロール特性を具えたオペレーションシステムのアプリケーションプログラム共有の構造。
【請求項５】
請求項１記載のリモートコントロール特性を具えたオペレーションシステムのアプリケーションプログラム共有の構造において、第１オペレーションシステムを保存する第１保存装置を更に具えたことを特徴とする、リモートコントロール特性を具えたオペレーションシステムのアプリケーションプログラム共有の構造。
【請求項６】
請求項５記載のリモートコントロール特性を具えたオペレーションシステムのアプリケーションプログラム共有の構造において、第１保存装置がハードディスク装置とされたことを特徴とする、リモートコントロール特性を具えたオペレーションシステムのアプリケーションプログラム共有の構造。
【請求項７】
請求項５記載のリモートコントロール特性を具えたオペレーションシステムのアプリケーションプログラム共有の構造において、第１保存装置が関係保存装置とされたことを特徴とする、リモートコントロール特性を具えたオペレーションシステムのアプリケーションプログラム共有の構造。
【請求項８】
請求項７記載のリモートコントロール特性を具えたオペレーションシステムのアプリケーションプログラム共有の構造において、関係保存装置がＲＯＭ装置とされたことを特徴とする、リモートコントロール特性を具えたオペレーションシステムのアプリケーションプログラム共有の構造。
【請求項９】
請求項１記載のリモートコントロール特性を具えたオペレーションシステムのアプリケーションプログラム共有の構造において、第２保存装置を更に具え、該第２保存装置が第２オペレーションシステムを保存することを特徴とする、リモートコントロール特性を具えたオペレーションシステムのアプリケーションプログラム共有の構造。
【請求項１０】
請求項９記載のリモートコントロール特性を具えたオペレーションシステムのアプリケーションプログラム共有の構造において、第２保存装置がＵＳＢディスクとされたことを特徴とする、リモートコントロール特性を具えたオペレーションシステムのアプリケーションプログラム共有の構造。
【請求項１１】
請求項９記載のリモートコントロール特性を具えたオペレーションシステムのアプリケーションプログラム共有の構造において、第２保存装置がＲＯＭ装置とされたことを特徴とする、リモートコントロール特性を具えたオペレーションシステムのアプリケーションプログラム共有の構造。
【請求項１２】
請求項９記載のリモートコントロール特性を具えたオペレーションシステムのアプリケーションプログラム共有の構造において、第２保存装置が関係保存装置とされたことを特徴とする、リモートコントロール特性を具えたオペレーションシステムのアプリケーションプログラム共有の構造。
【請求項１３】
請求項１２記載のリモートコントロール特性を具えたオペレーションシステムのアプリケーションプログラム共有の構造において、関係保存装置がハードディスク装置とされたことを特徴とする、リモートコントロール特性を具えたオペレーションシステムのアプリケーションプログラム共有の構造。
【請求項１４】
リモートコントロール特性を具えたオペレーションシステムのアプリケーションプログラム共有の方法において、
第１オペレーションシステムと第２オペレーションシステムを提供するステップと、
少なくとも一つのデータパラメータを第１オペレーションシステム下のファイルシステム下で提供するステップと、
リモート発送ユニットを使用してリモート信号を受信ユニットに発送するステップと、  該リモート信号に対応するキーボードスキャンコードを第２オペレーションシステムに提供するステップと、
該キーボードスキャンコードに対応するアプリケーションプログラムを第２オペレーションシステム実行の環境下で実行するステップと、
インタフェースユニットを使用して第１オペレーションシステムのデータパラメータにアクセスするステップと、
を具えたことを特徴とする、リモートコントロール特性を具えたオペレーションシステムのアプリケーションプログラム共有の方法。
【請求項１５】
請求項１４記載のリモートコントロール特性を具えたオペレーションシステムのアプリケーションプログラム共有の方法において、リモート発送ユニットがＰＤＡ、携帯電話、リモートコントローラーのいずれかとされたことを特徴とする、リモートコントロール特性を具えたオペレーションシステムのアプリケーションプログラム共有の方法。
【請求項１６】
請求項１４記載のリモートコントロール特性を具えたオペレーションシステムのアプリケーションプログラム共有の方法において、コンピュータ起動設定の管理と制御を行う基本入出力システムを具えたことを特徴とする、リモートコントロール特性を具えたオペレーションシステムのアプリケーションプログラム共有の方法。
【請求項１７】
請求項１４記載のリモートコントロール特性を具えたオペレーションシステムのアプリケーションプログラム共有の方法において、インタフェースユニットがデータパラメータを第２オペレーションシステムが実行可能なデータフォーマットに変換することを特徴とする、リモートコントロール特性を具えたオペレーションシステムのアプリケーションプログラム共有の方法。
【請求項１８】
請求項１４記載のリモートコントロール特性を具えたオペレーションシステムのアプリケーションプログラム共有の方法において、第１保存装置に第１オペレーションシステムを保存するステップを更に具えたことを特徴とする、リモートコントロール特性を具えたオペレーションシステムのアプリケーションプログラム共有の方法。
【請求項１９】
請求項１８記載のリモートコントロール特性を具えたオペレーションシステムのアプリケーションプログラム共有の方法において、第１保存装置がハードディスク装置とされたことを特徴とする、リモートコントロール特性を具えたオペレーションシステムのアプリケーションプログラム共有の方法。
【請求項２０】
請求項１８記載のリモートコントロール特性を具えたオペレーションシステムのアプリケーションプログラム共有の方法において、第１保存装置が関係保存装置とされたことを特徴とする、リモートコントロール特性を具えたオペレーションシステムのアプリケーションプログラム共有の方法。
【請求項２１】
請求項２０記載のリモートコントロール特性を具えたオペレーションシステムのアプリケーションプログラム共有の方法において、関係保存装置がＲＯＭ装置とされたことを特徴とする、リモートコントロール特性を具えたオペレーションシステムのアプリケーションプログラム共有の方法。
【請求項２２】
請求項１４記載のリモートコントロール特性を具えたオペレーションシステムのアプリケーションプログラム共有の方法において、第２保存装置を使用して第２オペレーションシステムを保存するステップを更に具えたことを特徴とする、リモートコントロール特性を具えたオペレーションシステムのアプリケーションプログラム共有の方法。
【請求項２３】
請求項２２記載のリモートコントロール特性を具えたオペレーションシステムのアプリケーションプログラム共有の方法において、第２保存装置がＵＳＢディスクとされたことを特徴とする、リモートコントロール特性を具えたオペレーションシステムのアプリケーションプログラム共有の方法。
【請求項２４】
請求項２２記載のリモートコントロール特性を具えたオペレーションシステムのアプリケーションプログラム共有の方法において、第２保存装置がＲＯＭ装置とされたことを特徴とする、リモートコントロール特性を具えたオペレーションシステムのアプリケーションプログラム共有の方法。
【請求項２５】
請求項２２記載のリモートコントロール特性を具えたオペレーションシステムのアプリケーションプログラム共有の方法において、第２保存装置が関係保存装置とされたことを特徴とする、リモートコントロール特性を具えたオペレーションシステムのアプリケーションプログラム共有の方法。
【請求項２６】
請求項２５記載のリモートコントロール特性を具えたオペレーションシステムのアプリケーションプログラム共有の方法において、関係保存装置がハードディスク装置とされたことを特徴とする、リモートコントロール特性を具えたオペレーションシステムのアプリケーションプログラム共有の方法。
【請求項２７】
リモートコントロール特性を具えたオペレーションシステムのアプリケーションプログラム共有の構造において、
第１オペレーションシステムと、
第２オペレーションシステムと、
該第１オペレーションシステム内にインストールされて少なくとも一つのオーディオビデオデータのアプリケーションプログラムの再生に用いられるマルチメディア再生プログラムと、
リモート信号を発送するのに用いられるリモート発送ユニットと、
該リモート信号に対応するキーボードスキャンコードを第２オペレーションシステムに伝送する受信ユニットと、
を具え、第２オペレーションシステムがインタフェースユニットを通して第１オペレーションシステムのマルチメディア再生プログラムを共有することを特徴とする、リモートコントロール特性を具えたオペレーションシステムのアプリケーションプログラム共有の構造。
【請求項２８】
請求項２７記載のリモートコントロール特性を具えたオペレーションシステムのアプリケーションプログラム共有の構造において、リモート発送ユニットがＰＤＡ、携帯電話、及びリモートコントローラーのいずれかとされたことを特徴とする、リモートコントロール特性を具えたオペレーションシステムのアプリケーションプログラム共有の構造。
【請求項２９】
請求項２７記載のリモートコントロール特性を具えたオペレーションシステムのアプリケーションプログラム共有の構造において、基本入出力システムを更に具え、該基本入出力システムはコンピュータ起動設定の管理と制御を行うことを特徴とする、リモートコントロール特性を具えたオペレーションシステムのアプリケーションプログラム共有の構造。
【請求項３０】
請求項２７記載のリモートコントロール特性を具えたオペレーションシステムのアプリケーションプログラム共有の構造において、インタフェースユニットがマルチメディア再生プログラムの関係パラメータを第２オペレーションシステムが実行可能なフォーマットに変換することを特徴とする、リモートコントロール特性を具えたオペレーションシステムのアプリケーションプログラム共有の構造。
【請求項３１】
請求項２７記載のリモートコントロール特性を具えたオペレーションシステムのアプリケーションプログラム共有の構造において、第１オペレーションシステムを保存する第１保存装置を更に具えたことを特徴とする、リモートコントロール特性を具えたオペレーションシステムのアプリケーションプログラム共有の構造。
【請求項３２】
請求項３１記載のリモートコントロール特性を具えたオペレーションシステムのアプリケーションプログラム共有の構造において、第１保存装置がハードディスク装置とされたことを特徴とする、リモートコントロール特性を具えたオペレーションシステムのアプリケーションプログラム共有の構造。
【請求項３３】
請求項３１記載のリモートコントロール特性を具えたオペレーションシステムのアプリケーションプログラム共有の構造において、第１保存装置が関係保存装置とされたことを特徴とする、リモートコントロール特性を具えたオペレーションシステムのアプリケーションプログラム共有の構造。
【請求項３４】
請求項３３記載のリモートコントロール特性を具えたオペレーションシステムのアプリケーションプログラム共有の構造において、関係保存装置がＲＯＭ装置とされたことを特徴とする、リモートコントロール特性を具えたオペレーションシステムのアプリケーションプログラム共有の構造。
【請求項３５】
請求項２７記載のリモートコントロール特性を具えたオペレーションシステムのアプリケーションプログラム共有の構造において、第２保存装置を更に具え、該第２保存装置が第２オペレーションシステムを保存することを特徴とする、リモートコントロール特性を具えたオペレーションシステムのアプリケーションプログラム共有の構造。
【請求項３６】
請求項３５記載のリモートコントロール特性を具えたオペレーションシステムのアプリケーションプログラム共有の構造において、第２保存装置がＵＳＢディスクとされたことを特徴とする、リモートコントロール特性を具えたオペレーションシステムのアプリケーションプログラム共有の構造。
【請求項３７】
請求項３５記載のリモートコントロール特性を具えたオペレーションシステムのアプリケーションプログラム共有の構造において、第２保存装置がＲＯＭ装置とされたことを特徴とする、リモートコントロール特性を具えたオペレーションシステムのアプリケーションプログラム共有の構造。
【請求項３８】
請求項３５記載のリモートコントロール特性を具えたオペレーションシステムのアプリケーションプログラム共有の構造において、第２保存装置が関係保存装置とされたことを特徴とする、リモートコントロール特性を具えたオペレーションシステムのアプリケーションプログラム共有の構造。
【請求項３９】
請求項３８記載のリモートコントロール特性を具えたオペレーションシステムのアプリケーションプログラム共有の構造において、関係保存装置がハードディスク装置とされたことを特徴とする、リモートコントロール特性を具えたオペレーションシステムのアプリケーションプログラム共有の構造。
【請求項４０】
リモートコントロール特性を具えたオペレーションシステムのアプリケーションプログラム共有の方法において、
第１オペレーションシステムと第２オペレーションシステムを提供するステップと、
マルチメディア再生プログラムを第１オペレーションシステムに提供するステップと、  リモート発送ユニットを使用してリモート信号を受信ユニットに発送するステップと、  該リモート信号に対応するキーボードスキャンコードを第２オペレーションシステムに提供するステップと、
を具え、第２オペレーションシステムがインタフェースユニットを通して第２オペレーションシステムに第１オペレーションシステムのマルチメディア再生プログラムを共有させることを特徴とする、リモートコントロール特性を具えたオペレーションシステムのアプリケーションプログラム共有の方法。
【請求項４１】
請求項４０記載のリモートコントロール特性を具えたオペレーションシステムのアプリケーションプログラム共有の方法において、リモート発送ユニットがＰＤＡ、携帯電話、リモートコントローラーのいずれかとされたことを特徴とする、リモートコントロール特性を具えたオペレーションシステムのアプリケーションプログラム共有の方法。
【請求項４２】
請求項４０記載のリモートコントロール特性を具えたオペレーションシステムのアプリケーションプログラム共有の方法において、コンピュータ起動設定の管理と制御を行う基本入出力システムを具えたことを特徴とする、リモートコントロール特性を具えたオペレーションシステムのアプリケーションプログラム共有の方法。
【請求項４３】
請求項４０記載のリモートコントロール特性を具えたオペレーションシステムのアプリケーションプログラム共有の方法において、インタフェースユニットがマルチメディア再生プログラムの関係パラメータを第２オペレーションシステムが実行可能なフォーマットに変換することを特徴とする、リモートコントロール特性を具えたオペレーションシステムのアプリケーションプログラム共有の方法。
【請求項４４】
請求項４０記載のリモートコントロール特性を具えたオペレーションシステムのアプリケーションプログラム共有の方法において、第１保存装置に第１オペレーションシステムを保存するステップを更に具えたことを特徴とする、リモートコントロール特性を具えたオペレーションシステムのアプリケーションプログラム共有の方法。
【請求項４５】
請求項４４記載のリモートコントロール特性を具えたオペレーションシステムのアプリケーションプログラム共有の方法において、第１保存装置がハードディスク装置とされたことを特徴とする、リモートコントロール特性を具えたオペレーションシステムのアプリケーションプログラム共有の方法。
【請求項４６】
請求項４４記載のリモートコントロール特性を具えたオペレーションシステムのアプリケーションプログラム共有の方法において、第１保存装置が関係保存装置とされたことを特徴とする、リモートコントロール特性を具えたオペレーションシステムのアプリケーションプログラム共有の方法。
【請求項４７】
請求項４６記載のリモートコントロール特性を具えたオペレーションシステムのアプリケーションプログラム共有の方法において、関係保存装置がＲＯＭ装置とされたことを特徴とする、リモートコントロール特性を具えたオペレーションシステムのアプリケーションプログラム共有の方法。
【請求項４８】
請求項４０記載のリモートコントロール特性を具えたオペレーションシステムのアプリケーションプログラム共有の方法において、第２保存装置を使用して第２オペレーションシステムを保存するステップを更に具えたことを特徴とする、リモートコントロール特性を具えたオペレーションシステムのアプリケーションプログラム共有の方法。
【請求項４９】
請求項４８記載のリモートコントロール特性を具えたオペレーションシステムのアプリケーションプログラム共有の方法において、第２保存装置がＵＳＢディスクとされたことを特徴とする、リモートコントロール特性を具えたオペレーションシステムのアプリケーションプログラム共有の方法。
【請求項５０】
請求項４８記載のリモートコントロール特性を具えたオペレーションシステムのアプリケーションプログラム共有の方法において、第２保存装置がＲＯＭ装置とされたことを特徴とする、リモートコントロール特性を具えたオペレーションシステムのアプリケーションプログラム共有の方法。
【請求項５１】
請求項４８記載のリモートコントロール特性を具えたオペレーションシステムのアプリケーションプログラム共有の方法において、第２保存装置が関係保存装置とされたことを特徴とする、リモートコントロール特性を具えたオペレーションシステムのアプリケーションプログラム共有の方法。
【請求項５２】
請求項５１記載のリモートコントロール特性を具えたオペレーションシステムのアプリケーションプログラム共有の方法において、関係保存装置がハードディスク装置とされたことを特徴とする、リモートコントロール特性を具えたオペレーションシステムのアプリケーションプログラム共有の方法。
【請求項５３】
リモートコントロール特性を具えたオペレーションシステムのアプリケーションプログラム共有の構造において、
第１オペレーションシステムと、
第１オペレーションシステムのファイルシステムに保存された少なくとも一つのデータパラメータと、
第２オペレーションシステムと、
第２オペレーションシステムの環境下で実行され、少なくとも一つのオーディオビデオデータのアプリケーションプログラムの再生に用いられるマルチメディア再生プログラムと、
リモート信号を発送するのに用いられるリモート発送ユニットと、
該リモート信号に対応するキーボードスキャンコードを第２オペレーションシステムに伝送する受信ユニットと、
を具え、第２オペレーションシステムがキーボードスキャンコードを受け取り該マルチメディア再生プログラムを実行し、該マルチメディア再生プログラムがインタフェースユニットを通して第１オペレーションシステムの少なくとも一つのデータパラメータにアクセスすることを特徴とする、リモートコントロール特性を具えたオペレーションシステムのアプリケーションプログラム共有の構造。
【請求項５４】
請求項５３記載のリモートコントロール特性を具えたオペレーションシステムのアプリケーションプログラム共有の構造において、リモート発送ユニットがＰＤＡ、携帯電話、及びリモートコントローラーのいずれかとされたことを特徴とする、リモートコントロール特性を具えたオペレーションシステムのアプリケーションプログラム共有の構造。
【請求項５５】
請求項５３記載のリモートコントロール特性を具えたオペレーションシステムのアプリケーションプログラム共有の構造において、基本入出力システムを更に具え、該基本入出力システムはコンピュータ起動設定の管理と制御を行うことを特徴とする、リモートコントロール特性を具えたオペレーションシステムのアプリケーションプログラム共有の構造。
【請求項５６】
請求項５３記載のリモートコントロール特性を具えたオペレーションシステムのアプリケーションプログラム共有の構造において、インタフェースユニットがデータパラメータを第２オペレーションシステムのマルチメディア再生プログラムが実行可能なデータフォーマットに変換することを特徴とする、リモートコントロール特性を具えたオペレーションシステムのアプリケーションプログラム共有の構造。
【請求項５７】
請求項５３記載のリモートコントロール特性を具えたオペレーションシステムのアプリケーションプログラム共有の構造において、第１オペレーションシステムを保存する第１保存装置を更に具えたことを特徴とする、リモートコントロール特性を具えたオペレーションシステムのアプリケーションプログラム共有の構造。
【請求項５８】
請求項５７記載のリモートコントロール特性を具えたオペレーションシステムのアプリケーションプログラム共有の構造において、第１保存装置がハードディスク装置とされたことを特徴とする、リモートコントロール特性を具えたオペレーションシステムのアプリケーションプログラム共有の構造。
【請求項５９】
請求項５７記載のリモートコントロール特性を具えたオペレーションシステムのアプリケーションプログラム共有の構造において、第１保存装置が関係保存装置とされたことを特徴とする、リモートコントロール特性を具えたオペレーションシステムのアプリケーションプログラム共有の構造。
【請求項６０】
請求項５９記載のリモートコントロール特性を具えたオペレーションシステムのアプリケーションプログラム共有の構造において、関係保存装置がＲＯＭ装置とされたことを特徴とする、リモートコントロール特性を具えたオペレーションシステムのアプリケーションプログラム共有の構造。
【請求項６１】
請求項５３記載のリモートコントロール特性を具えたオペレーションシステムのアプリケーションプログラム共有の構造において、第２保存装置を更に具え、該第２保存装置が第２オペレーションシステムを保存することを特徴とする、リモートコントロール特性を具えたオペレーションシステムのアプリケーションプログラム共有の構造。
【請求項６２】
請求項６１記載のリモートコントロール特性を具えたオペレーションシステムのアプリケーションプログラム共有の構造において、第２保存装置がＵＳＢディスクとされたことを特徴とする、リモートコントロール特性を具えたオペレーションシステムのアプリケーションプログラム共有の構造。
【請求項６３】
請求項６１記載のリモートコントロール特性を具えたオペレーションシステムのアプリケーションプログラム共有の構造において、第２保存装置がＲＯＭ装置とされたことを特徴とする、リモートコントロール特性を具えたオペレーションシステムのアプリケーションプログラム共有の構造。
【請求項６４】
請求項６１記載のリモートコントロール特性を具えたオペレーションシステムのアプリケーションプログラム共有の構造において、第２保存装置が関係保存装置とされたことを特徴とする、リモートコントロール特性を具えたオペレーションシステムのアプリケーションプログラム共有の構造。
【請求項６５】
請求項６４記載のリモートコントロール特性を具えたオペレーションシステムのアプリケーションプログラム共有の構造において、関係保存装置がハードディスク装置とされたことを特徴とする、リモートコントロール特性を具えたオペレーションシステムのアプリケーションプログラム共有の構造。
【請求項６６】
リモートコントロール特性を具えたオペレーションシステムのアプリケーションプログラム共有の方法において、
第１オペレーションシステムと第２オペレーションシステムを提供するステップと、
少なくとも一つのデータパラメータを第１オペレーションシステムのファイルシステム下で提供するステップと、
リモート発送ユニットを使用してリモート信号を受信ユニットに発送するステップと、  該リモート信号に対応するキーボードスキャンコードを第２オペレーションシステムに提供するステップと、
該キーボードスキャンコードに対応するマルチメディア再生プログラムを第２オペレーションシステムのシステム環境下で実行するステップと、
インタフェースユニットを使用して第１オペレーションシステムのデータパラメータにアクセスするステップと、
を具えたことを特徴とする、リモートコントロール特性を具えたオペレーションシステムのアプリケーションプログラム共有の方法。
【請求項６７】
請求項６６記載のリモートコントロール特性を具えたオペレーションシステムのアプリケーションプログラム共有の方法において、リモート発送ユニットがＰＤＡ、携帯電話、リモートコントローラーのいずれかとされたことを特徴とする、リモートコントロール特性を具えたオペレーションシステムのアプリケーションプログラム共有の方法。
【請求項６８】
請求項６６記載のリモートコントロール特性を具えたオペレーションシステムのアプリケーションプログラム共有の方法において、コンピュータ起動設定の管理と制御を行う基本入出力システムを具えたことを特徴とする、リモートコントロール特性を具えたオペレーションシステムのアプリケーションプログラム共有の方法。
【請求項６９】
請求項６６記載のリモートコントロール特性を具えたオペレーションシステムのアプリケーションプログラム共有の方法において、インタフェースユニットがデータパラメータを第２オペレーションシステムのマルチメディア再生プログラムが実行可能なデータフォーマットに変換することを特徴とする、リモートコントロール特性を具えたオペレーションシステムのアプリケーションプログラム共有の方法。
【請求項７０】
請求項６６記載のリモートコントロール特性を具えたオペレーションシステムのアプリケーションプログラム共有の方法において、第１保存装置に第１オペレーションシステムを保存するステップを更に具えたことを特徴とする、リモートコントロール特性を具えたオペレーションシステムのアプリケーションプログラム共有の方法。
【請求項７１】
請求項７０記載のリモートコントロール特性を具えたオペレーションシステムのアプリケーションプログラム共有の方法において、第１保存装置がハードディスク装置とされたことを特徴とする、リモートコントロール特性を具えたオペレーションシステムのアプリケーションプログラム共有の方法。
【請求項７２】
請求項７０記載のリモートコントロール特性を具えたオペレーションシステムのアプリケーションプログラム共有の方法において、第１保存装置が関係保存装置とされたことを特徴とする、リモートコントロール特性を具えたオペレーションシステムのアプリケーションプログラム共有の方法。
【請求項７３】
請求項７２記載のリモートコントロール特性を具えたオペレーションシステムのアプリケーションプログラム共有の方法において、関係保存装置がＲＯＭ装置とされたことを特徴とする、リモートコントロール特性を具えたオペレーションシステムのアプリケーションプログラム共有の方法。
【請求項７４】
請求項６６記載のリモートコントロール特性を具えたオペレーションシステムのアプリケーションプログラム共有の方法において、第２保存装置を使用して第２オペレーションシステムを保存するステップを更に具えたことを特徴とする、リモートコントロール特性を具えたオペレーションシステムのアプリケーションプログラム共有の方法。
【請求項７５】
請求項７４記載のリモートコントロール特性を具えたオペレーションシステムのアプリケーションプログラム共有の方法において、第２保存装置がＵＳＢディスクとされたことを特徴とする、リモートコントロール特性を具えたオペレーションシステムのアプリケーションプログラム共有の方法。
【請求項７６】
請求項７４記載のリモートコントロール特性を具えたオペレーションシステムのアプリケーションプログラム共有の方法において、第２保存装置がＲＯＭ装置とされたことを特徴とする、リモートコントロール特性を具えたオペレーションシステムのアプリケーションプログラム共有の方法。
【請求項７７】
請求項７４記載のリモートコントロール特性を具えたオペレーションシステムのアプリケーションプログラム共有の方法において、第２保存装置が関係保存装置とされたことを特徴とする、リモートコントロール特性を具えたオペレーションシステムのアプリケーションプログラム共有の方法。
【請求項７８】
請求項７７記載のリモートコントロール特性を具えたオペレーションシステムのアプリケーションプログラム共有の方法において、関係保存装置がハードディスク装置とされたことを特徴とする、リモートコントロール特性を具えたオペレーションシステムのアプリケーションプログラム共有の方法。
【発明の詳細な説明】
【技術分野】
【０００１】
本発明は一種のリモートコントロール特性を具えたオペレーションシステムのアプリケーションプログラム共有の構造と方法に係り、それは、リモート発送ユニットを通して、リモート信号を受信ユニットに送り、信号デコード装置で信号デコードの後、対応するキーボードスキャンコードを第２オペレーションシステムに送り、インタフェースユニットを通して該第２オペレーションシステムに第１オペレーションシステムの少なくとも一つのデータパラメータとマルチメディア再生プログラムを共有させる構造及び方法である。
【背景技術】
【０００２】
コンピュータは数学中の形式論理により設計された産物であり、それが理解できる命令は形式言語で構成された機械命令群である。コンピュータは形式処理に優れているが、直接抽象的知識を処理することはできず、デジタル化電子媒体を通して表現する知識形式、すなわちデジタルデータを処理することはできる。早期のコンピュータは人々が作業に使用するのに便利であるよう設計され、このためその応用の多くは作業領域範囲内にとどまっていた。
【０００３】
情報テクノロジーの進歩に伴い、コンピュータ技術も発展し、スピードアップの追求と娯楽重視の観念の改変により、娯楽及びコンピュータを結合させたサービスに対するユーザー側の要求はますます明らかとなり、コンピュータと娯楽を結合させた応用は良好なマルチメディアサービスの提供にほかならない。このためユーザー側のコンピュータオペレーションシステムにマルチメディアサービス対応が要求され、且つシステム起動時間を減らし、資源浪費を節約し、動態モバイルサービスに対応できるようにすることが要求される。
【０００４】
オペレーションシステムの発展にあっては、ＬｉｎｕｘオペレーションシステムとＷｉｎｄｏｗｓ（登録商標）オペレーションシステムが代表的なものとされる。Ｌｉｎｕｘオペレーションシステムについては、Ｌｉｎｕｘ領域の発展プラットフォーム上、克服すべき多くの問題があり、オリジナルコードの開放はオペレーションシステムのコスト或いは権利金を免除するが、一般に、製品発展上必要な各種のプログラムバンク、周辺装置の駆動プログラム、マンマシンインタフェース、及びアプリケーションプログラム等は、各メーカーのハードウエアチップ或いはプラットフォーム上にあって、いずれも相容れず、且つ強く強力な組織による技術サポートの整合、提供に欠けるため、各Ｌｉｎｕｘ技術開発メーカー或いはユーザーはいずれも少なからぬ模索時間を消耗し、重複開発のコストを投入しなければならない。Ｗｉｎｄｏｗｓ（登録商標）オペレーションシステムはこれに対して、世界最大のソフトウエアメーカーであるマイクロソフト（登録商標）社が開発支援し、このため各種のプログラムバンク、周辺装置の駆動プログラム、マンマシンインタフェース、及びアプリケーションプログラム等は、各メーカーのハードウエアチップ或いはプラットフォーム上で良好に技術支援され、このほか、調達、管理と使用が容易で、企業レベルの信頼性があり、ユーザビリティと相容性がいずれも良好で、動態の企業ネットワークとインターネットサイトの構築が簡単で、整合されたアプリケーションプログラムサーバーが開発速度を加速し授権使用者に多種類の作業を行わせることができ、サポートコストを減らせる等の長所がある。しかし、Ｗｉｎｄｏｗｓ（登録商標）の強大なシステムソース提供の優勢下にあって、そのシステムソース消耗の負荷が増し、このためシステム安定度と起動速度はＬｉｎｕｘより低くなる。
【０００５】
人類生活の発展上、家電は生活に不可欠の物品であり、そのうち、テレビを例に挙げると、ユーザー側はリモコンを以て、地域に限定されずに、随時随所でテレビのもたらす娯楽効果を享受できる。これに対して、コンピュータはユーザー側がコンピュータの前に座らなければコンピュータの提供するサービスを受けられない。多元化とスピードアップが求められる時代にあって、コンピュータの地域に制限される欠点は、その発展上、改善が求められる。
【０００６】
このため、いかにＬｉｎｕｘとＷｉｎｄｏｗｓ（登録商標）オペレーションシステムに存在する特性に対して、その長所をピックアップし、並びにユーザー側の地域上の制限をなくし、動態モバイルサービスの目的を達成するかが、現在、検討し、研究発展すべき重要な問題である。
【０００７】
これを鑑み、いかに上述の問題に対して、リモートコントロール特性を具えたオペレーションシステムのアプリケーションプログラム共有の構造と方法し、伝統的なアプリケーションプログラムの重複インストールの欠点を改善し、また、リアルタイムと動態モバイルの特性を提供するかが、長きにわたりユーザーと本発明者の切実な要望であった。
【発明の開示】
【発明が解決しようとする課題】
【０００８】
本発明の主要な目的は、リモートコントロール特性を具えたオペレーションシステムのアプリケーションプログラム共有の構造と方法を提供することにあり、それは、リモート発送ユニットによりリモート信号を受信ユニットに送り、信号デコード装置によりそれをデコードした後、インタフェースユニットにより第２オペレーションシステムが第１オペレーションシステムの少なくとも一つのデータパラメータとマルチメディア再生プログラムを共有できるようにする構造と方法であるものとする。
【０００９】
本発明の次の目的は、リアルタイムと動態モバイルサービスを提供することにあり、すなわち、リモート発送ユニットがデータ実行信号とマルチメディア再生信号を受信ユニットに送り、信号デコード装置がそれをデコードし、その信号に対応するキーボードキーを判断し、該キーに対応するキーボードスキャンコードを第２オペレーションシステムに送り、少なくとも一つのデータパラメータとマルチメディア再生プログラムを実行し、地域制限を受けないようにする目的を達成する。
【００１０】
本発明の別の目的は、ユーザー側の要求を速やかに満足させ、第２オペレーションシステムを起動することにあり、すなわち、リモート発送ユニットよりデータ実行信号とマルチメディア再生信号を伝送後、第２オペレーションシステムが信号デコード要求により、インタフェースユニットを通して第１オペレーションシステムの少なくとも一つのデータとマルチメディア再生プログラムを共有し、これによりユーザー側がシステムソース消耗の比較的大きい第１オペレーションシステム起動を待つ時間を減らし、ユーザー側の少なくとも一つのマルチメディア再生プログラムと少なくとも一つのデータパラメータを使用する要求を速やかに満足させる。
【００１１】
本発明の別の目的は、保存空間を節約することにあり、すなわち、第２オペレーションシステムに第１オペレーションシステムのマルチメディア再生プログラムを共有させることにより、アプリケーションプログラムの重複インストールを減らし、保存空間を有効に節約する。
【００１２】
本発明の別の目的は、節電機能を提供することにあり、すなわち、システム負荷が比較的低い第２オペレーションシステムにより、マルチメディア再生プログラム起動に使用するシステムソースのみを使用し、これによりシステムソースの消耗を減らす。
【００１３】
上述の目的及び長所を達成するため、本発明のリモートコントロール特性を具えたオペレーションシステムのアプリケーションプログラム共有の構造と方法は、複数のプログラムを実行できる第１オペレーションシステムと、少なくとも一つのプログラムを実行でき比較的小さい第２保存空間内にインストールされた第２オペレーションシステムと、データ実行信号とマルチメディア再生信号を発送するリモート発送ユニットと、この信号を受け取り並びにそれに対応するキーボードスキャンコードを第２オペレーションシステムに伝送する受信ユニットと、該受信ユニット内にインストールされて信号のデコードを行う信号デコード装置と、を具えている。ユーザー側は、リモート発送ユニットの下したデータ実行信号とマルチメディア再生信号を受信ユニットで受け取り、信号デコード装置を利用してその信号をデコードし、この信号に対応するキーボードスキャンコードを判断し、並びに該キーボードスキャンコードを第２オペレーションシステムに伝送し、インタフェースユニットを通して第２オペレーションシステムに第１オペレーションシステムの少なくとも一つのデータとマルチメディア再生プログラムを共有させて、システムソース消耗が比較的大きく保存空間が大きい第１オペレーションシステムの起動を待つ時間を節約し、リアルタイムと動態モバイルサービス、システム携帯性と資源の共有機能を提供し、アプリケーションプログラムの重複インストールを免除し保存空間を有効に節約する。
【課題を解決するための手段】
【００１４】
請求項１の発明は、リモートコントロール特性を具えたオペレーションシステムのアプリケーションプログラム共有の構造において、
少なくとも一つのデータパラメータを記録した少なくとも一つのファイルシステムを包含する第１オペレーションシステムと、
リモート信号を発送するリモート発送ユニットと、
該リモート信号に対応するキーボードスキャンコードを伝送する受信ユニットと、
該キーボードスキャンコードを受け取った後、それに対応するアプリケーションプログラムを実行する第２オペレーションシステムと、
を具えた、該アプリケーションプログラムを第２オペレーションシステム環境下で実行し、インタフェースユニットを通して第１オペレーションシステム下の該ファイルシステム中のデータパラメータにアクセスすることを特徴とする、リモートコントロール特性を具えたオペレーションシステムのアプリケーションプログラム共有の構造としている。
請求項２の発明は、請求項１記載のリモートコントロール特性を具えたオペレーションシステムのアプリケーションプログラム共有の構造において、リモート発送ユニットがＰＤＡ、携帯電話、及びリモートコントローラーのいずれかとされたことを特徴とする、リモートコントロール特性を具えたオペレーションシステムのアプリケーションプログラム共有の構造としている。
請求項３の発明は、請求項１記載のリモートコントロール特性を具えたオペレーションシステムのアプリケーションプログラム共有の構造において、基本入出力システムを更に具え、該基本入出力システムはコンピュータ起動設定の管理と制御を行うことを特徴とする、リモートコントロール特性を具えたオペレーションシステムのアプリケーションプログラム共有の構造としている。
請求項４の発明は、請求項１記載のリモートコントロール特性を具えたオペレーションシステムのアプリケーションプログラム共有の構造において、インタフェースユニットがデータパラメータを第２オペレーションシステムが実行可能なデータフォーマットに変換することを特徴とする、リモートコントロール特性を具えたオペレーションシステムのアプリケーションプログラム共有の構造としている。
請求項５の発明は、請求項１記載のリモートコントロール特性を具えたオペレーションシステムのアプリケーションプログラム共有の構造において、第１オペレーションシステムを保存する第１保存装置を更に具えたことを特徴とする、リモートコントロール特性を具えたオペレーションシステムのアプリケーションプログラム共有の構造としている。
請求項６の発明は、請求項５記載のリモートコントロール特性を具えたオペレーションシステムのアプリケーションプログラム共有の構造において、第１保存装置がハードディスク装置とされたことを特徴とする、リモートコントロール特性を具えたオペレーションシステムのアプリケーションプログラム共有の構造としている。
請求項７の発明は、請求項５記載のリモートコントロール特性を具えたオペレーションシステムのアプリケーションプログラム共有の構造において、第１保存装置が関係保存装置とされたことを特徴とする、リモートコントロール特性を具えたオペレーションシステムのアプリケーションプログラム共有の構造としている。
請求項８の発明は、請求項７記載のリモートコントロール特性を具えたオペレーションシステムのアプリケーションプログラム共有の構造において、関係保存装置がＲＯＭ装置とされたことを特徴とする、リモートコントロール特性を具えたオペレーションシステムのアプリケーションプログラム共有の構造としている。
請求項９の発明は、請求項１記載のリモートコントロール特性を具えたオペレーションシステムのアプリケーションプログラム共有の構造において、第２保存装置を更に具え、該第２保存装置が第２オペレーションシステムを保存することを特徴とする、リモートコントロール特性を具えたオペレーションシステムのアプリケーションプログラム共有の構造としている。
請求項１０の発明は、請求項９記載のリモートコントロール特性を具えたオペレーションシステムのアプリケーションプログラム共有の構造において、第２保存装置がＵＳＢディスクとされたことを特徴とする、リモートコントロール特性を具えたオペレーションシステムのアプリケーションプログラム共有の構造としている。
請求項１１の発明は、請求項９記載のリモートコントロール特性を具えたオペレーションシステムのアプリケーションプログラム共有の構造において、第２保存装置がＲＯＭ装置とされたことを特徴とする、リモートコントロール特性を具えたオペレーションシステムのアプリケーションプログラム共有の構造としている。
請求項１２の発明は、請求項９記載のリモートコントロール特性を具えたオペレーションシステムのアプリケーションプログラム共有の構造において、第２保存装置が関係保存装置とされたことを特徴とする、リモートコントロール特性を具えたオペレーションシステムのアプリケーションプログラム共有の構造としている。
請求項１３の発明は、請求項１２記載のリモートコントロール特性を具えたオペレーションシステムのアプリケーションプログラム共有の構造において、関係保存装置がハードディスク装置とされたことを特徴とする、リモートコントロール特性を具えたオペレーションシステムのアプリケーションプログラム共有の構造としている。
請求項１４の発明は、  リモートコントロール特性を具えたオペレーションシステムのアプリケーションプログラム共有の方法において、
第１オペレーションシステムと第２オペレーションシステムを提供するステップと、
少なくとも一つのデータパラメータを第１オペレーションシステム下のファイルシステム下で提供するステップと、
リモート発送ユニットを使用してリモート信号を受信ユニットに発送するステップと、  該リモート信号に対応するキーボードスキャンコードを第２オペレーションシステムに提供するステップと、
該キーボードスキャンコードに対応するアプリケーションプログラムを第２オペレーションシステム実行の環境下で実行するステップと、
インタフェースユニットを使用して第１オペレーションシステムのデータパラメータにアクセスするステップと、
を具えたことを特徴とする、リモートコントロール特性を具えたオペレーションシステムのアプリケーションプログラム共有の方法としている。
請求項１５の発明は、請求項１４記載のリモートコントロール特性を具えたオペレーションシステムのアプリケーションプログラム共有の方法において、リモート発送ユニットがＰＤＡ、携帯電話、リモートコントローラーのいずれかとされたことを特徴とする、リモートコントロール特性を具えたオペレーションシステムのアプリケーションプログラム共有の方法としている。
請求項１６の発明は、請求項１４記載のリモートコントロール特性を具えたオペレーションシステムのアプリケーションプログラム共有の方法において、コンピュータ起動設定の管理と制御を行う基本入出力システムを具えたことを特徴とする、リモートコントロール特性を具えたオペレーションシステムのアプリケーションプログラム共有の方法としている。
請求項１７の発明は、請求項１４記載のリモートコントロール特性を具えたオペレーションシステムのアプリケーションプログラム共有の方法において、インタフェースユニットがデータパラメータを第２オペレーションシステムが実行可能なデータフォーマットに変換することを特徴とする、リモートコントロール特性を具えたオペレーションシステムのアプリケーションプログラム共有の方法としている。
請求項１８の発明は、請求項１４記載のリモートコントロール特性を具えたオペレーションシステムのアプリケーションプログラム共有の方法において、第１保存装置に第１オペレーションシステムを保存するステップを更に具えたことを特徴とする、リモートコントロール特性を具えたオペレーションシステムのアプリケーションプログラム共有の方法としている。
請求項１９の発明は、請求項１８記載のリモートコントロール特性を具えたオペレーションシステムのアプリケーションプログラム共有の方法において、第１保存装置がハードディスク装置とされたことを特徴とする、リモートコントロール特性を具えたオペレーションシステムのアプリケーションプログラム共有の方法としている。
請求項２０の発明は、請求項１８記載のリモートコントロール特性を具えたオペレーションシステムのアプリケーションプログラム共有の方法において、第１保存装置が関係保存装置とされたことを特徴とする、リモートコントロール特性を具えたオペレーションシステムのアプリケーションプログラム共有の方法としている。
請求項２１の発明は、請求項２０記載のリモートコントロール特性を具えたオペレーションシステムのアプリケーションプログラム共有の方法において、関係保存装置がＲＯＭ装置とされたことを特徴とする、リモートコントロール特性を具えたオペレーションシステムのアプリケーションプログラム共有の方法としている。
請求項２２の発明は、請求項１４記載のリモートコントロール特性を具えたオペレーションシステムのアプリケーションプログラム共有の方法において、第２保存装置を使用して第２オペレーションシステムを保存するステップを更に具えたことを特徴とする、リモートコントロール特性を具えたオペレーションシステムのアプリケーションプログラム共有の方法としている。
請求項２３の発明は、請求項２２記載のリモートコントロール特性を具えたオペレーションシステムのアプリケーションプログラム共有の方法において、第２保存装置がＵＳＢディスクとされたことを特徴とする、リモートコントロール特性を具えたオペレーションシステムのアプリケーションプログラム共有の方法としている。
請求項２４の発明は、請求項２２記載のリモートコントロール特性を具えたオペレーションシステムのアプリケーションプログラム共有の方法において、第２保存装置がＲＯＭ装置とされたことを特徴とする、リモートコントロール特性を具えたオペレーションシステムのアプリケーションプログラム共有の方法としている。
請求項２５の発明は、請求項２２記載のリモートコントロール特性を具えたオペレーションシステムのアプリケーションプログラム共有の方法において、第２保存装置が関係保存装置とされたことを特徴とする、リモートコントロール特性を具えたオペレーションシステムのアプリケーションプログラム共有の方法としている。
請求項２６の発明は、請求項２５記載のリモートコントロール特性を具えたオペレーションシステムのアプリケーションプログラム共有の方法において、関係保存装置がハードディスク装置とされたことを特徴とする、リモートコントロール特性を具えたオペレーションシステムのアプリケーションプログラム共有の方法としている。
請求項２７の発明は、リモートコントロール特性を具えたオペレーションシステムのアプリケーションプログラム共有の構造において、
第１オペレーションシステムと、
第２オペレーションシステムと、
該第１オペレーションシステム内にインストールされて少なくとも一つのオーディオビデオデータのアプリケーションプログラムの再生に用いられるマルチメディア再生プログラムと、
リモート信号を発送するのに用いられるリモート発送ユニットと、
該リモート信号に対応するキーボードスキャンコードを第２オペレーションシステムに伝送する受信ユニットと、
を具え、第２オペレーションシステムがインタフェースユニットを通して第１オペレーションシステムのマルチメディア再生プログラムを共有することを特徴とする、リモートコントロール特性を具えたオペレーションシステムのアプリケーションプログラム共有の構造としている。
請求項２８の発明は、請求項２７記載のリモートコントロール特性を具えたオペレーションシステムのアプリケーションプログラム共有の構造において、リモート発送ユニットがＰＤＡ、携帯電話、及びリモートコントローラーのいずれかとされたことを特徴とする、リモートコントロール特性を具えたオペレーションシステムのアプリケーションプログラム共有の構造としている。
請求項２９の発明は、請求項２７記載のリモートコントロール特性を具えたオペレーションシステムのアプリケーションプログラム共有の構造において、基本入出力システムを更に具え、該基本入出力システムはコンピュータ起動設定の管理と制御を行うことを特徴とする、リモートコントロール特性を具えたオペレーションシステムのアプリケーションプログラム共有の構造としている。
請求項３０の発明は、請求項２７記載のリモートコントロール特性を具えたオペレーションシステムのアプリケーションプログラム共有の構造において、インタフェースユニットがマルチメディア再生プログラムの関係パラメータを第２オペレーションシステムが実行可能なフォーマットに変換することを特徴とする、リモートコントロール特性を具えたオペレーションシステムのアプリケーションプログラム共有の構造としている。
請求項３１の発明は、請求項２７記載のリモートコントロール特性を具えたオペレーションシステムのアプリケーションプログラム共有の構造において、第１オペレーションシステムを保存する第１保存装置を更に具えたことを特徴とする、リモートコントロール特性を具えたオペレーションシステムのアプリケーションプログラム共有の構造としている。
請求項３２の発明は、請求項３１記載のリモートコントロール特性を具えたオペレーションシステムのアプリケーションプログラム共有の構造において、第１保存装置がハードディスク装置とされたことを特徴とする、リモートコントロール特性を具えたオペレーションシステムのアプリケーションプログラム共有の構造としている。
請求項３３の発明は、請求項３１記載のリモートコントロール特性を具えたオペレーションシステムのアプリケーションプログラム共有の構造において、第１保存装置が関係保存装置とされたことを特徴とする、リモートコントロール特性を具えたオペレーションシステムのアプリケーションプログラム共有の構造としている。
請求項３４の発明は、請求項３３記載のリモートコントロール特性を具えたオペレーションシステムのアプリケーションプログラム共有の構造において、関係保存装置がＲＯＭ装置とされたことを特徴とする、リモートコントロール特性を具えたオペレーションシステムのアプリケーションプログラム共有の構造としている。
請求項３５の発明は、請求項２７記載のリモートコントロール特性を具えたオペレーションシステムのアプリケーションプログラム共有の構造において、第２保存装置を更に具え、該第２保存装置が第２オペレーションシステムを保存することを特徴とする、リモートコントロール特性を具えたオペレーションシステムのアプリケーションプログラム共有の構造としている。
請求項３６の発明は、請求項３５記載のリモートコントロール特性を具えたオペレーションシステムのアプリケーションプログラム共有の構造において、第２保存装置がＵＳＢディスクとされたことを特徴とする、リモートコントロール特性を具えたオペレーションシステムのアプリケーションプログラム共有の構造としている。
請求項３７の発明は、請求項３５記載のリモートコントロール特性を具えたオペレーションシステムのアプリケーションプログラム共有の構造において、第２保存装置がＲＯＭ装置とされたことを特徴とする、リモートコントロール特性を具えたオペレーションシステムのアプリケーションプログラム共有の構造としている。
請求項３８の発明は、請求項３５記載のリモートコントロール特性を具えたオペレーションシステムのアプリケーションプログラム共有の構造において、第２保存装置が関係保存装置とされたことを特徴とする、リモートコントロール特性を具えたオペレーションシステムのアプリケーションプログラム共有の構造としている。
請求項３９の発明は、請求項３８記載のリモートコントロール特性を具えたオペレーションシステムのアプリケーションプログラム共有の構造において、関係保存装置がハードディスク装置とされたことを特徴とする、リモートコントロール特性を具えたオペレーションシステムのアプリケーションプログラム共有の構造としている。
請求項４０の発明は、リモートコントロール特性を具えたオペレーションシステムのアプリケーションプログラム共有の方法において、
第１オペレーションシステムと第２オペレーションシステムを提供するステップと、
マルチメディア再生プログラムを第１オペレーションシステムに提供するステップと、  リモート発送ユニットを使用してリモート信号を受信ユニットに発送するステップと、  該リモート信号に対応するキーボードスキャンコードを第２オペレーションシステムに提供するステップと、
を具え、第２オペレーションシステムがインタフェースユニットを通して第２オペレーションシステムに第１オペレーションシステムのマルチメディア再生プログラムを共有させることを特徴とする、リモートコントロール特性を具えたオペレーションシステムのアプリケーションプログラム共有の方法としている。
請求項４１の発明は、請求項４０記載のリモートコントロール特性を具えたオペレーションシステムのアプリケーションプログラム共有の方法において、リモート発送ユニットがＰＤＡ、携帯電話、リモートコントローラーのいずれかとされたことを特徴とする、リモートコントロール特性を具えたオペレーションシステムのアプリケーションプログラム共有の方法としている。
請求項４２の発明は、請求項４０記載のリモートコントロール特性を具えたオペレーションシステムのアプリケーションプログラム共有の方法において、コンピュータ起動設定の管理と制御を行う基本入出力システムを具えたことを特徴とする、リモートコントロール特性を具えたオペレーションシステムのアプリケーションプログラム共有の方法としている。
請求項４３の発明は、請求項４０記載のリモートコントロール特性を具えたオペレーションシステムのアプリケーションプログラム共有の方法において、インタフェースユニットがマルチメディア再生プログラムの関係パラメータを第２オペレーションシステムが実行可能なフォーマットに変換することを特徴とする、リモートコントロール特性を具えたオペレーションシステムのアプリケーションプログラム共有の方法としている。
請求項４４の発明は、請求項４０記載のリモートコントロール特性を具えたオペレーションシステムのアプリケーションプログラム共有の方法において、第１保存装置に第１オペレーションシステムを保存するステップを更に具えたことを特徴とする、リモートコントロール特性を具えたオペレーションシステムのアプリケーションプログラム共有の方法としている。
請求項４５の発明は、請求項４４記載のリモートコントロール特性を具えたオペレーションシステムのアプリケーションプログラム共有の方法において、第１保存装置がハードディスク装置とされたことを特徴とする、リモートコントロール特性を具えたオペレーションシステムのアプリケーションプログラム共有の方法としている。
請求項４６の発明は、請求項４４記載のリモートコントロール特性を具えたオペレーションシステムのアプリケーションプログラム共有の方法において、第１保存装置が関係保存装置とされたことを特徴とする、リモートコントロール特性を具えたオペレーションシステムのアプリケーションプログラム共有の方法としている。
請求項４７の発明は、請求項４６記載のリモートコントロール特性を具えたオペレーションシステムのアプリケーションプログラム共有の方法において、関係保存装置がＲＯＭ装置とされたことを特徴とする、リモートコントロール特性を具えたオペレーションシステムのアプリケーションプログラム共有の方法としている。
請求項４８の発明は、請求項４０記載のリモートコントロール特性を具えたオペレーションシステムのアプリケーションプログラム共有の方法において、第２保存装置を使用して第２オペレーションシステムを保存するステップを更に具えたことを特徴とする、リモートコントロール特性を具えたオペレーションシステムのアプリケーションプログラム共有の方法としている。
請求項４９の発明は、請求項４８記載のリモートコントロール特性を具えたオペレーションシステムのアプリケーションプログラム共有の方法において、第２保存装置がＵＳＢディスクとされたことを特徴とする、リモートコントロール特性を具えたオペレーションシステムのアプリケーションプログラム共有の方法としている。
請求項５０の発明は、請求項４８記載のリモートコントロール特性を具えたオペレーションシステムのアプリケーションプログラム共有の方法において、第２保存装置がＲＯＭ装置とされたことを特徴とする、リモートコントロール特性を具えたオペレーションシステムのアプリケーションプログラム共有の方法としている。
請求項５１の発明は、請求項４８記載のリモートコントロール特性を具えたオペレーションシステムのアプリケーションプログラム共有の方法において、第２保存装置が関係保存装置とされたことを特徴とする、リモートコントロール特性を具えたオペレーションシステムのアプリケーションプログラム共有の方法としている。
請求項５２の発明は、請求項５１記載のリモートコントロール特性を具えたオペレーションシステムのアプリケーションプログラム共有の方法において、関係保存装置がハードディスク装置とされたことを特徴とする、リモートコントロール特性を具えたオペレーションシステムのアプリケーションプログラム共有の方法としている。
請求項５３の発明は、リモートコントロール特性を具えたオペレーションシステムのアプリケーションプログラム共有の構造において、
第１オペレーションシステムと、
第１オペレーションシステムのファイルシステムに保存された少なくとも一つのデータパラメータと、
第２オペレーションシステムと、
第２オペレーションシステムの環境下で実行され、少なくとも一つのオーディオビデオデータのアプリケーションプログラムの再生に用いられるマルチメディア再生プログラムと、
リモート信号を発送するのに用いられるリモート発送ユニットと、
該リモート信号に対応するキーボードスキャンコードを第２オペレーションシステムに伝送する受信ユニットと、
を具え、第２オペレーションシステムがキーボードスキャンコードを受け取り該マルチメディア再生プログラムを実行し、該マルチメディア再生プログラムがインタフェースユニットを通して第１オペレーションシステムの少なくとも一つのデータパラメータにアクセスすることを特徴とする、リモートコントロール特性を具えたオペレーションシステムのアプリケーションプログラム共有の構造としている。
請求項５４の発明は、請求項５３記載のリモートコントロール特性を具えたオペレーションシステムのアプリケーションプログラム共有の構造において、リモート発送ユニットがＰＤＡ、携帯電話、及びリモートコントローラーのいずれかとされたことを特徴とする、リモートコントロール特性を具えたオペレーションシステムのアプリケーションプログラム共有の構造としている。
請求項５５の発明は、請求項５３記載のリモートコントロール特性を具えたオペレーションシステムのアプリケーションプログラム共有の構造において、基本入出力システムを更に具え、該基本入出力システムはコンピュータ起動設定の管理と制御を行うことを特徴とする、リモートコントロール特性を具えたオペレーションシステムのアプリケーションプログラム共有の構造としている。
請求項５６の発明は、請求項５３記載のリモートコントロール特性を具えたオペレーションシステムのアプリケーションプログラム共有の構造において、インタフェースユニットがデータパラメータを第２オペレーションシステムのマルチメディア再生プログラムが実行可能なデータフォーマットに変換することを特徴とする、リモートコントロール特性を具えたオペレーションシステムのアプリケーションプログラム共有の構造としている。
請求項５７の発明は、請求項５３記載のリモートコントロール特性を具えたオペレーションシステムのアプリケーションプログラム共有の構造において、第１オペレーションシステムを保存する第１保存装置を更に具えたことを特徴とする、リモートコントロール特性を具えたオペレーションシステムのアプリケーションプログラム共有の構造としている。
請求項５８の発明は、請求項５７記載のリモートコントロール特性を具えたオペレーションシステムのアプリケーションプログラム共有の構造において、第１保存装置がハードディスク装置とされたことを特徴とする、リモートコントロール特性を具えたオペレーションシステムのアプリケーションプログラム共有の構造としている。
請求項５９の発明は、請求項５７記載のリモートコントロール特性を具えたオペレーションシステムのアプリケーションプログラム共有の構造において、第１保存装置が関係保存装置とされたことを特徴とする、リモートコントロール特性を具えたオペレーションシステムのアプリケーションプログラム共有の構造としている。
請求項６０の発明は、請求項５９記載のリモートコントロール特性を具えたオペレーションシステムのアプリケーションプログラム共有の構造において、関係保存装置がＲＯＭ装置とされたことを特徴とする、リモートコントロール特性を具えたオペレーションシステムのアプリケーションプログラム共有の構造としている。
請求項６１の発明は、請求項５３記載のリモートコントロール特性を具えたオペレーションシステムのアプリケーションプログラム共有の構造において、第２保存装置を更に具え、該第２保存装置が第２オペレーションシステムを保存することを特徴とする、リモートコントロール特性を具えたオペレーションシステムのアプリケーションプログラム共有の構造としている。
請求項６２の発明は、請求項６１記載のリモートコントロール特性を具えたオペレーションシステムのアプリケーションプログラム共有の構造において、第２保存装置がＵＳＢディスクとされたことを特徴とする、リモートコントロール特性を具えたオペレーションシステムのアプリケーションプログラム共有の構造としている。
請求項６３の発明は、請求項６１記載のリモートコントロール特性を具えたオペレーションシステムのアプリケーションプログラム共有の構造において、第２保存装置がＲＯＭ装置とされたことを特徴とする、リモートコントロール特性を具えたオペレーションシステムのアプリケーションプログラム共有の構造としている。
請求項６４の発明は、請求項６１記載のリモートコントロール特性を具えたオペレーションシステムのアプリケーションプログラム共有の構造において、第２保存装置が関係保存装置とされたことを特徴とする、リモートコントロール特性を具えたオペレーションシステムのアプリケーションプログラム共有の構造としている。
請求項６５の発明は、請求項６４記載のリモートコントロール特性を具えたオペレーションシステムのアプリケーションプログラム共有の構造において、関係保存装置がハードディスク装置とされたことを特徴とする、リモートコントロール特性を具えたオペレーションシステムのアプリケーションプログラム共有の構造としている。
請求項６６の発明は、リモートコントロール特性を具えたオペレーションシステムのアプリケーションプログラム共有の方法において、
第１オペレーションシステムと第２オペレーションシステムを提供するステップと、
少なくとも一つのデータパラメータを第１オペレーションシステムのファイルシステム下で提供するステップと、
リモート発送ユニットを使用してリモート信号を受信ユニットに発送するステップと、  該リモート信号に対応するキーボードスキャンコードを第２オペレーションシステムに提供するステップと、
該キーボードスキャンコードに対応するマルチメディア再生プログラムを第２オペレーションシステムのシステム環境下で実行するステップと、
インタフェースユニットを使用して第１オペレーションシステムのデータパラメータにアクセスするステップと、
を具えたことを特徴とする、リモートコントロール特性を具えたオペレーションシステムのアプリケーションプログラム共有の方法としている。
請求項６７の発明は、請求項６６記載のリモートコントロール特性を具えたオペレーションシステムのアプリケーションプログラム共有の方法において、リモート発送ユニットがＰＤＡ、携帯電話、リモートコントローラーのいずれかとされたことを特徴とする、リモートコントロール特性を具えたオペレーションシステムのアプリケーションプログラム共有の方法としている。
請求項６８の発明は、請求項６６記載のリモートコントロール特性を具えたオペレーションシステムのアプリケーションプログラム共有の方法において、コンピュータ起動設定の管理と制御を行う基本入出力システムを具えたことを特徴とする、リモートコントロール特性を具えたオペレーションシステムのアプリケーションプログラム共有の方法としている。
請求項６９の発明は、請求項６６記載のリモートコントロール特性を具えたオペレーションシステムのアプリケーションプログラム共有の方法において、インタフェースユニットがデータパラメータを第２オペレーションシステムのマルチメディア再生プログラムが実行可能なデータフォーマットに変換することを特徴とする、リモートコントロール特性を具えたオペレーションシステムのアプリケーションプログラム共有の方法としている。
請求項７０の発明は、請求項６６記載のリモートコントロール特性を具えたオペレーションシステムのアプリケーションプログラム共有の方法において、第１保存装置に第１オペレーションシステムを保存するステップを更に具えたことを特徴とする、リモートコントロール特性を具えたオペレーションシステムのアプリケーションプログラム共有の方法としている。
請求項７１の発明は、請求項７０記載のリモートコントロール特性を具えたオペレーションシステムのアプリケーションプログラム共有の方法において、第１保存装置がハードディスク装置とされたことを特徴とする、リモートコントロール特性を具えたオペレーションシステムのアプリケーションプログラム共有の方法としている。
請求項７２の発明は、請求項７０記載のリモートコントロール特性を具えたオペレーションシステムのアプリケーションプログラム共有の方法において、第１保存装置が関係保存装置とされたことを特徴とする、リモートコントロール特性を具えたオペレーションシステムのアプリケーションプログラム共有の方法としている。
請求項７３の発明は、請求項７２記載のリモートコントロール特性を具えたオペレーションシステムのアプリケーションプログラム共有の方法において、関係保存装置がＲＯＭ装置とされたことを特徴とする、リモートコントロール特性を具えたオペレーションシステムのアプリケーションプログラム共有の方法としている。
請求項７４の発明は、請求項６６記載のリモートコントロール特性を具えたオペレーションシステムのアプリケーションプログラム共有の方法において、第２保存装置を使用して第２オペレーションシステムを保存するステップを更に具えたことを特徴とする、リモートコントロール特性を具えたオペレーションシステムのアプリケーションプログラム共有の方法としている。
請求項７５の発明は、請求項７４記載のリモートコントロール特性を具えたオペレーションシステムのアプリケーションプログラム共有の方法において、第２保存装置がＵＳＢディスクとされたことを特徴とする、リモートコントロール特性を具えたオペレーションシステムのアプリケーションプログラム共有の方法としている。
請求項７６の発明は、請求項７４記載のリモートコントロール特性を具えたオペレーションシステムのアプリケーションプログラム共有の方法において、第２保存装置がＲＯＭ装置とされたことを特徴とする、リモートコントロール特性を具えたオペレーションシステムのアプリケーションプログラム共有の方法としている。
請求項７７の発明は、請求項７４記載のリモートコントロール特性を具えたオペレーションシステムのアプリケーションプログラム共有の方法において、第２保存装置が関係保存装置とされたことを特徴とする、リモートコントロール特性を具えたオペレーションシステムのアプリケーションプログラム共有の方法としている。
請求項７８の発明は、請求項７７記載のリモートコントロール特性を具えたオペレーションシステムのアプリケーションプログラム共有の方法において、関係保存装置がハードディスク装置とされたことを特徴とする、リモートコントロール特性を具えたオペレーションシステムのアプリケーションプログラム共有の方法としている。
【発明の効果】
【００１５】
本発明はリモートコントロール特性を具えたオペレーションシステムのアプリケーションプログラム共有の構造と方法を提供し、それはユーザー側がリモート発送ユニットによりデータ実行信号とマルチメディア再生信号を受信ユニットに送り、信号デコード装置を利用してこの信号をデコードし、該信号に対応するキーボードキーを判断し、並びに該キーボードキーのキーボードスキャンコードを第２オペレーションシステムに送り、第２オペレーションシステムが少なくとも一つのデータパラメータとマルチメディア再生システムの命令をインタフェースユニットに下し、少なくとも一つのデータパラメータとマルチメディア再生システムの関係パラメータを第２オペレーションシステムが実行できるフォーマットに変換させ、第１オペレーションシステムの資源を共有させ、システムソース消耗が大きく保存空間が大きい第１オペレーションシステムの起動の時間を減らし、リアルタイムと動態モバイルサービスと、システム携帯性と資源の共有機能を提供し、アプリケーションプログラムの重複インストールを免除し保存空間を有効に節約する。ゆえに本発明は新規性、進歩性を有し、産業上の利用に供され、特許の要件に符合するものである。
【００１６】
なお、本発明の提供する実施例は本発明の実施の範囲を限定するものではなく、本発明の特許請求の範囲に記載された形状、構造、特徴及び精神に基づきなしうる同じ効果の修飾と変化は、いずれも本発明の特許請求の範囲に属するものとする。
【発明を実施するための最良の形態】
【００１７】
図１は本発明のリモートコントロール特性を具えたオペレーションシステムのアプリケーションプログラム共有の構造図である。このシステムは、データ実行信号とマルチメディア再生信号とされるリモート信号を発送するリモート発送ユニット１と、該データ実行信号と該マルチメディア再生信号を受け取り、該リモート信号に対応するキーボードスキャンコードを伝送する受信ユニット２と、該受信ユニット２内にインストールされて該データ実行信号と該マルチメディア再生信号をデコードする信号デコード装置２１と、基本入出力システム４を駆動してコンピュータの起動設定を制御するＣＰＵ３と、第１保存装置にインストールされて複数のプログラムを実行できる第１オペレーションシステム５と、第２保存装置にインストールされて少なくとも一つのプログラムを実行できる第２オペレーションシステム６と、を具えている。ユーザー側は、リモート発送ユニット１により発送したデータ実行信号とマルチメディア再生信号を受信ユニット２で受け取り、信号デコード装置２１を利用して該データ実行信号と該マルチメディア再生信号をデコードし、このリモート信号に対応するキーボードスキャンコードを第２オペレーションシステム６に伝送し、インタフェースユニット８を通してアプリケーションプログラム７を第１オペレーションシステム５の少なくとも一つのデータパラメータ１０にアクセスさせ、第２オペレーションシステム６が第１オペレーションシステム５のマルチメディア再生プログラム９を共有できるようにし、リアルタイムと動態モバイルの特性を提供し、システムソース消耗が比較的大きく保存空間が大きい第１オペレーションシステムの起動の待ち時間を減らし、アプリケーションプログラムの重複インストールを免除し、保存空間を有効に節約する。そのうち、マルチメディア再生プログラム９は第１オペレーションシステム５内にインストールされ、ＤＶＤ及びＶＣＤフォーマットのオーディオビデオを再生するためのアプリケーションプログラムである。該インタフェースユニット８は該アプリケーションプログラム７が下達する該データパラメータ１０実行命令と、該第２オペレーションシステム６が下達するマルチメディア再生プログラム９実行命令を受け取り、少なくとも一つのデータパラメータ１０と該マルチメディア再生プログラム９の関係パラメータを第２オペレーションシステム６が実行できるフォーマットに変換する。
【００１８】
上述の第１オペレーションシステム５はＷｉｎｄｏｗｓ（登録商標）系列のオペレーションシステムとされるのがよく、それは、システムソース負荷が比較的高いオペレーションシステムとされ、例えば、Ｗｉｎｄｏｗｓ（登録商標）ＸＰ、Ｗｉｎｄｏｗｓ（登録商標）ＮＴ、Ｗｉｎｄｏｗｓ（登録商標）９８、Ｗｉｎｄｏｗｓ（登録商標）２０００及びＷｉｎｄｏｗｓ（登録商標）Ｍｅとされる。
【００１９】
第２オペレーションシステム６はシステムソース負荷が比較的低いオペレーションシステムとされ、例えばＬｉｎｕｘオペレーションシステムとされる。
【００２０】
上述の第１保存装置は、システムソース消耗が比較的高い第１オペレーションシステム５とマルチメディア再生プログラム９をインストールするための比較的大きな保存空間を必要とし、それはハードディスク及びＲＯＭユニット装置とされうるが、そのうちハードディスクが主要な保存装置とされる。
【００２１】
第２保存装置はシステムソース消耗が比較的低い第２オペレーションシステム６をインストールし、ＲＯＭ、ＵＳＢディスク或いはハードディスクとされ、そのうち、ＵＳＢディスクが主要な保存装置とされ、該ＵＳＢディスクは軽便で携帯性が高いディスクであり、ＵＳＢソケットを具えたコンピュータであればいずれも該第２オペレーションシステム６を使用できるようにする。
【００２２】
上述の基本入出力システム４は再設定されてシステムソース負荷が比較的低いＵＳＢディスク内の第２オペレーションシステム６を起動してシステムソース負荷が比較的高い第１オペレーションシステム５のマルチメディア再生プログラム９を共有させるものとされる。
【００２３】
図２も参照されたい。図２は本発明の好ましい実施例のリモートコントロール特性を具えたオペレーションシステムのデータパラメータ共有の構造図である。そのうち、マルチメディア再生プログラム９’は第２オペレーションシステム６内にインストールされ、第２オペレーションシステム６は少なくとも一つのプログラムを実行できる。ユーザー側がリモート発送ユニット１の発送したデータ実行信号を受信ユニット２で受け取る時、信号デコード装置２１により、データ実行信号をデコードした後、この信号に対応するキーボードスキャンコードを第２オペレーションシステム６に送り、インタフェースユニット８を通して第１オペレーションシステム５の少なくとも一つのデータパラメータ１０を共有させ、リアルタイムと動態モバイルの特性を提供し、システムソース負荷が大きく保存空間が大きい第１オペレーションシステム５の起動の時間を減らし、アプリケーションプログラムの重複インストールを免除し有効に保存空間を節約する。
【００２４】
そのうち、該インタフェースユニット８は、少なくとも一つのデータパラメータ１０の関係パラメータを第２オペレーションシステム６のマルチメディア再生プログラム９’が実行できるフォーマットに変換する。
【００２５】
図３の本発明の好ましい実施例のリモートコントロール特性を具えたオペレーションシステムのアプリケーションプログラム共有のデータフローチャートも併せて参照されたい。図示されるように、ユーザー側はリモート発送ユニット１によりリモート信号１１を該受信ユニット２に下達し、該受信ユニット２は信号デコード装置２１によりリモート信号１１をデコードし、リモート信号１１に対応するキーボードキーを判断し、並びに該キーボードキーのキーボードスキャンコード２１１を第２オペレーションシステム６に伝送し、第２オペレーションシステム６はパラメータ変換命令６１をインタフェースユニット８に送り、該インタフェースユニット８はパラメータ変換要求８１を通してマルチメディア再生プログラム９の第１オペレーションシステム５において実行可能な関係パラメータを保存した後、マルチメディア再生プログラム９の関係パラメータを第２オペレーションシステム６が実行可能なフォーマットに変換し、並びに変換結果応答８２の命令を第２オペレーションシステム６に伝送し、第２オペレーションシステム６に該マルチメディア再生プログラム９を使用させ、実行完了後に、更にパラメータ変換要求８１を通して関係パラメータを元来の第１オペレーションシステム５が実行可能なパラメータに変換し、こうして本発明のリモートコントロール特性を具えたオペレーションシステムのアプリケーションプログラム共有の構造と方法を達成する。
【００２６】
そのうち、ユーザー側が第１オペレーションシステム５のマルチメディア再生プログラム９を実行する方法は、図４の本発明の好ましい実施例のリモートコントロール特性を具えたオペレーションシステムのアプリケーションプログラム共有のフローチャートに示されるとおり、以下のステップを具えている。
ステップＳ１：  ユーザー側が第１オペレーションシステムを保存空間が比較的大きい第１保存装置に保存し、マルチメディア再生プログラムを第１オペレーションシステムにインストールし第２オペレーションシステムを保存空間が比較的小さい第２保存装置に保存する。
ステップＳ２：  コンピュータシステムを起動し、システムソース消耗が比較的低い第２オペレーションシステムを実行する。
ステップＳ３：  ユーザー側がリモート発送ユニットによりマルチメディア再生信号を受信ユニットに伝送し、信号デコード装置によりそれをデコードし、並びに該マルチメディア再生信号に対応するキーボードスキャンコードを第２オペレーションシステムに伝送する。
ステップＳ４：  第２オペレーションシステムが第１オペレーションシステム内のマルチメディア再生プログラムを実行する命令をインタフェースユニットに下す。
ステップＳ５：  マルチメディア再生プログラムが第１オペレーションシステムにおいて実行可能な関係パラメータを保存する。
ステップＳ６：  パラメータ変換を実行し、該マルチメディア再生プログラムの関係パラメータを第２オペレーションシステムが実行できるフォーマットに変換する。
ステップＳ７：  該マルチメディア再生プログラムを実行する。
ステップＳ８：  実行結果を該ユーザー側に応答する。
ステップＳ９：  実行完成後に、マルチメディア再生プログラムの関係パラメータを第１オペレーションシステムが実行できるパラメータに変換する。
【図面の簡単な説明】
【００２７】
【図１】本発明の好ましい実施例のリモートコントロール特性を具えたオペレーションシステムのアプリケーションプログラム共有の構造図である。
【図２】本発明の好ましい実施例のリモートコントロール特性を具えたオペレーションシステムのデータパラメータ共有の構造図である。
【図３】本発明の好ましい実施例のリモートコントロール特性を具えたオペレーションシステムのアプリケーションプログラム共有のデータフロー図である。
【図４】本発明の好ましい実施例のリモートコントロール特性を具えたオペレーションシステムのアプリケーションプログラム共有のフローチャートである。
【符号の説明】
【００２８】
１  リモート発送ユニット
１１  リモート信号
２  受信ユニット
２１  信号デコード装置
２１１  キーボードスキャンコード
３  ＣＰＵ
４  基本入出力システム
５  第１オペレーションシステム
６  第２オペレーションシステム
６１  パラメータ変換命令
７  アプリケーションプログラム
８  インタフェースユニット
８１  パラメータ変換要求
８２  変換結果応答
９  マルチメディア再生プログラム
９’  マルチメディア再生プログラム
１０’  データパラメータ
【図１】
2005229579.tif 000003
【図２】
2005229579.tif 000004
【図３】
2005229579.tif 000005
【図４】
2005229579.tif 000006